(57)【要約】【課題】磁石によって扉をロック対象物側に吸着する構造であっても、振動や衝撃によって容易にロックが解除されることのない扉ロック機構及びこれを用いた自動販売機を提供する。【解決手段】内部扉８と外扉２とを各磁石１２によって吸着するとともに、外扉２側の第１の係合部材１０と内部扉８側の第２の係合部材１１とを互いに係合させるようにしたので、振動や衝撃を受けた場合でも各係合部材１０，１１の係合によって各磁石１２の吸着が解除されることがなく、内部扉８と外扉２とを確実にロックすることができる。この場合、操作レバー１４の回動操作によって各係合部材１０，１１の係合を解除するようにしたので、各係合部材１０，１１の係合を容易に解除することができ、ロック解除の操作性を向上させることができる。【選択図】  図９
2004318616.tif 000002
【特許請求の範囲】
【請求項１】
一端を回動自在に支持された扉と所定のロック対象物とを磁石によって吸着する吸着手段を備えた扉ロック機構において、
前記扉とロック対象物とを吸着手段による吸着位置で互いに係合する係合手段と、
所定の操作によって係合手段の係合を解除する係合解除手段とを備えた
ことを特徴とする扉ロック機構。
【請求項２】
所定の操作によって吸着手段の吸着を解除する吸着解除手段を備えた
ことを特徴とする請求項１記載の扉ロック機構。
【請求項３】
前記係合解除手段及び吸着解除手段をそれぞれ所定の操作に連動して作動させる操作部を備えた
ことを特徴とする請求項２記載の扉ロック機構。
【請求項４】
前記係合手段を、扉及びロック対象物の一方に所定方向に移動自在に設けられた第１の係合部材と、扉及びロック対象物の他方の所定位置に設けられた第２の係合部材とから構成するとともに、第１の係合部材を所定位置で第２の係合部材に係合するように設け、
前記係合解除手段を、前記操作部の所定方向への操作に連動して第１の係合部材を第２の係合部材との係合解除方向へ移動させるように構成した
ことを特徴とする請求項３記載の扉ロック機構。
【請求項５】
前記吸着解除手段を、前記操作部の所定方向への操作に連動して扉とロック対象物との間に吸着手段の吸着解除方向への力を付与するように構成した
ことを特徴とする請求項３または４記載の扉ロック機構。
【請求項６】
前記操作部を回動自在に設け、
前記吸着解除手段を、操作部の一端側を操作するとその他端側によって扉とロック対象物との間に前記吸着解除方向への力が付与されるように構成するとともに、操作部の一端側を他端側よりも長く形成した
ことを特徴とする請求項５記載の扉ロック機構。
【請求項７】
前面を開口した自動販売機本体と、自動販売機本体の前面を開閉する外扉と、自動販売機本体内の下部に搬出された商品を受容する商品バケットと、商品バケットを自動販売機本体の上下方向所定位置まで上昇させる昇降機構と、商品バケットを昇降させる部分の背面側を覆う内部扉とを備えた自動販売機において、
前記内部扉をロックする扉ロック手段として、請求項１、２、３、４、５または６記載の扉ロック手段を用いた
ことを特徴とする自動販売機。
【請求項８】
前記内部扉の開閉を検知する第１の扉開閉検知手段と、
前記外扉の開閉を検知する第２の扉開閉検知手段と、
第１の扉開閉検知手段によって内部扉が開放状態であることが検知され、且つ第２の扉開閉検知手段によって外扉が閉鎖されたことが検知されると、所定の警報を出力する警報手段とを備えた
ことを特徴とする請求項７記載の自動販売機。
【発明の詳細な説明】
【０００１】
【発明の属する技術分野】
本発明は、例えば自動販売機本体内の昇降機構の前面側を開閉するメンテナンス用の内部扉に用いられる扉ロック機構及びこれを用いた自動販売機に関するものである。
【０００２】
【従来の技術】
従来、この種の自動販売機としては、前面を開口した自動販売機本体と、自動販売機本体の前面を開閉する外扉と、自動販売機本体内に設けられた商品収納庫と、商品収納庫の前面を開閉する内扉と、内扉の商品搬出口から自動販売機本体内の下部に搬出された商品を受容する商品バケットと、商品バケットを自動販売機本体の上下方向所定位置まで上昇させる昇降機構とを備え、昇降機構によって上昇させた商品バケット内の商品を外扉の商品取出口に搬出するようにしたものが知られている（例えば、特許文献１参照。）。
【０００３】
また、前記自動販売機においては、外扉の内側に一端を回動自在に支持された内部扉を設け、昇降機構によって商品バケットを昇降させる部分の背面側を内部扉によって覆うことにより、商品バケットからの商品の落下を防止するようにしたものがある。この場合、内部扉は外扉側に設けた磁石によって吸着することにより閉鎖状態でロックされるようになっており、昇降機構等をメンテナンスする際は、内部扉に開放方向への力を加えて磁石の吸着を解除することにより、内部扉を開放するようにしている。
【０００４】
【特許文献１】
特開２０００−３０６１５８号公報
【０００５】
【発明が解決しようとする課題】
しかしながら、前述のように内部扉を磁石によって吸着するロック機構では、振動や衝撃によってロック状態が解除され易く、ロックが解除されて内部扉が開放状態になると、商品バケットからの商品の落下を確実に防止することができなくなるという問題点があった。
【０００６】
本発明は前記問題点に鑑みてなされたものであり、その目的とするところは、磁石によって扉をロック対象物側に吸着する構造であっても、振動や衝撃によって容易にロックが解除されることのない扉ロック機構及びこれを用いた自動販売機を提供することにある。
【０００７】
【課題を解決するための手段】
本発明は前記目的を達成するために、請求項１では、一端を回動自在に支持された扉と所定のロック対象物とを磁石によって吸着する吸着手段を備えた扉ロック機構において、前記扉とロック対象物とを吸着手段による吸着位置で互いに係合する係合手段と、所定の操作によって係合手段の係合を解除する係合解除手段とを備えている。これにより、扉とロック対象物が磁石によって吸着するとともに、扉とロック対象物が係合手段によって係合することから、振動や衝撃を受けた場合でも係合手段の係合によって磁石の吸着が解除されることがない。この場合、所定の操作によって係合手段の係合が解除されることから、係合手段の係合が容易に解除される。
【０００８】
また、請求項２では、請求項１記載の扉ロック機構において、所定の操作によって吸着手段の吸着を解除する吸着解除手段を備えている。これにより、請求項１の作用に加え、所定の操作によって吸着手段の吸着が解除されることから、扉に人力によって直接開放方向への力を加える場合に比べ、磁石の吸着が容易に解除される。
【０００９】
また、請求項３では、請求項２記載の扉ロック機構において、前記係合解除手段及び吸着解除手段をそれぞれ所定の操作に連動して作動させる操作部を備えている。これにより、請求項２の作用に加え、操作部の操作のみによって係合手段の係合解除と吸着手段の吸着解除とが同時に行われる。
【００１０】
また、請求項４では、請求項３記載の扉ロック機構において、前記係合手段を、扉及びロック対象物の一方に所定方向に移動自在に設けられた第１の係合部材と、扉及びロック対象物の他方の所定位置に設けられた第２の係合部材とから構成するとともに、第１の係合部材を所定位置で第２の係合部材に係合するように設け、前記係合解除手段を、前記操作部の所定方向への操作に連動して第１の係合部材を第２の係合部材との係合解除方向へ移動させるように構成している。これにより、請求項３の作用に加え、操作部の操作によって第１の係合部材を移動させることにより、第１の係合部材と第２の係合部材との係合が解除されることから、各係合部材の係合を解除する機構が簡単な構造によって安価に構成される。
【００１１】
また、請求項５では、請求項３または４記載の扉ロック機構において、前記吸着解除手段を、前記操作部の所定方向への操作に連動して扉とロック対象物との間に吸着手段の吸着解除方向への力を付与するように構成している。これにより、請求項３または４の作用に加え、操作部の操作によって扉とロック対象物との間に吸着解除方向の力が付与され、磁石による吸着が解除されることから、磁石の吸着を解除する機構が簡単な構造によって安価に構成される。
【００１２】
また、請求項６では、前記操作部を回動自在に設け、
前記吸着解除手段を、請求項５記載の扉ロック機構において、前記操作部を回動自在に設け、前記吸着解除手段を、操作部の一端側を操作するとその他端側によって扉とロック対象物との間に前記吸着解除方向への力が付与されるように構成するとともに、操作部の一端側を他端側よりも長く形成している。これにより、請求項５の作用に加え、操作部の入力側となる一端側の長さが出力側となる他端側よりも長く形成されていることから、梃子の原理によって磁石の吸着解除方向への力が増大する。
【００１３】
また、請求項７では、前面を開口した自動販売機本体と、自動販売機本体の前面を開閉する外扉と、自動販売機本体内の下部に搬出された商品を受容する商品バケットと、商品バケットを自動販売機本体の上下方向所定位置まで上昇させる昇降機構と、商品バケットを昇降させる部分の背面側を覆う内部扉とを備えた自動販売機において、前記内部扉をロックする扉ロック手段として、請求項１、２、３、４、５または６記載の扉ロック手段を用いている。これにより、商品バケットの昇降動作等によって振動や衝撃が生じ易い構造であっても、前記扉ロック手段によって内部扉の開放が確実に防止される。
【００１４】
また、請求項８では、請求項７記載の自動販売機において、前記内部扉の開閉を検知する第１の扉開閉検知手段と、前記外扉の開閉を検知する第２の扉開閉検知手段と、第１の扉開閉検知手段によって内部扉が開放状態であることが検知され、且つ第２の扉開閉検知手段によって外扉が閉鎖されたことが検知されると、所定の警報を出力する警報手段とを備えている。これにより、これにより、請求項５の作用に加え、内部扉を開放したまま外扉を閉じると、第１の扉開閉検知手段によって内部扉が開放状態であることが検知され、且つ第２の扉開閉検知手段によって外扉が閉鎖されたことが検知されることから、内部扉を開放したまま外扉が閉じられたことが警報手段によって外部に警告される。
【００１５】
【発明の実施の形態】
図１乃至図９は本発明の一実施形態を示すもので、図１は本発明の扉ロック機構を備えた自動販売機の斜視図、図２はその側面断面図、図３はその要部斜視図、図４は扉ロック機構の分解斜視図、図５はその側面断面図、図６は扉スイッチの回路構成図、図７乃至図９は扉ロック機構の動作を示す側面断面図である。
【００１６】
同図に示す自動販売機は、前面を開口した自動販売機本体１と、自動販売機本体１の前面を開閉する外扉２と、自動販売機本体１内に設けられた商品収納庫３と、商品収納庫３の前面を開閉する内扉４と、商品収納庫３内に設けられた複数の商品収納コラム５と、内扉４の商品搬出口４ａから自動販売機本体１内の下部に搬出された商品Ａを受容する商品バケット６と、商品バケット６を自動販売機本体１の上下方向所定位置まで上昇させる昇降機構７とを備えている。
【００１７】
この自動販売機では、外扉２の上下方向略中央に商品取出口２ａが設けられ、昇降機構７によって商品バケット６を商品取出口２ａの高さ位置まで上昇させることにより、商品バケット６内の商品Ａを商品取出口２ａに搬出するようになっている。
【００１８】
また、外扉２の内側には、一端を外扉２に回動自在に支持された内部扉８が設けられ、昇降機構７によって商品バケット６を昇降させる部分の背面側を内部扉８によって覆うことにより、商品バケット６からの商品Ａの落下を防止するようになっている。
【００１９】
前記自動販売機に備わる扉ロック機構は、図４に示すように、外扉２側に上下方向に移動可能に設けられた第１の係合部材１０と、内部扉８側の所定位置に設けられた第２の係合部材１１と、外扉２側に設けられた上下一対の磁石１２と、内部扉８側に設けられた上下一対の吸着板１３と、内部扉８側に回動自在に設けられた操作レバー１４と、外扉２側の所定位置に設けられた当接板１５とから構成されている。
【００２０】
第１の係合部材１０は上下方向に延びる断面略コ字状の部材によって形成され、外扉２側に固定された取付板１６に取付けられている。即ち、取付板１６の計２箇所には上下方向に延びる長孔１６ａがそれぞれ設けられ、各長孔１６ａをそれぞれ挿通するネジ１６ｂを第１の係合部材１０の一側面に設けたネジ孔１０ａに螺合することにより、第１の係合部材１０が各長孔１６ａに沿って上下方向に移動するようになっている。第１の係合部材１０の前面上下方向略中央部分には操作レバー１４が挿入される開口部１０ｂが設けられ、開口部１０ｂの下端縁には操作レバー１４が係止する係止片１０ｃが形成されている。また、第１の係合部材１０の前面下部には第２の係合部材１１が挿入される係合孔１０ｄが設けられている。更に、第１の係合部材１０はその上端に連結されたスプリング１７によって上方に付勢されている。
【００２１】
第２の係合部材１１は外扉２側に延びる板状の部材によって形成され、第１の係合部材１０の係合孔１０ｃに対向するように内部扉８の内面側に固定されている。また、第２の係合部材１１の下端側には外扉２側から内部扉８側に向かって下り傾斜をなす傾斜部１１ａが設けられ、傾斜部１１ａの内部扉８側には係合孔１０ｃの下端縁に係合可能な溝１１ｂが形成されている。
【００２２】
各磁石１２は合成樹脂製のケース１２ａに覆われた周知のもので、その前面には金属製の吸着部１２ｂが設けられている。各磁石１２は第１の係合部材１０の上方及び下方に配置され、それぞれ外扉２に固定されている。
【００２３】
各吸着板１３は磁石によって吸着可能な金属からなり、外扉２の各磁石１２にそれぞれ対向するように内部扉８の内面側に固定されている。
【００２４】
操作レバー１４は、上下方向に延びる把持部１４ａと、把持部１４ａの上端から左右方向にそれぞれ延びる回動部１４ｂと、一方の回動部１４ｂから外扉２側に延びる係止部１４ｃとからなり、各回動部１４ｂは内部扉８の内面側に固定された一対の取付板１８によって回動自在に支持されている。この場合、操作レバー１４の把持部１４ａは係止部１４ｃよりも長く形成されるとともに、係止部１４ｃは把持部１４ａを垂直にすると斜め上方に向かって傾斜するように形成されている。また、操作レバー１４の把持部１４ａは内部扉８に設けた開口部８ａ内に配置され、内部扉８の外側から操作レバー１４を操作可能になっている。
【００２５】
当接板１５は平板状の部材からなり、操作レバー１４に対向するように外扉２側に固定されている。
【００２６】
また、前記自動販売機は、内部扉８の開閉を検知する第１の扉スイッチ２０と、外扉２の開閉を検知する第２の扉スイッチ２１とを備え、図６に示すように各扉スイッチ２０，２１は警報ブザー２２及び電源２３に接続されている。この場合、第１の扉スイッチ２０は内部扉８が開放されると接点を閉じるように構成され、第２の扉スイッチ２１は外扉２が閉鎖されると接点を閉じるように構成されている。即ち、各扉スイッチ２０，２１の接点が何れも閉じた場合に、警報ブザー２２に電源２３が通電し、警報ブザー２２が作動するようになっている。
【００２７】
以上の構成においては、内部扉８を外扉２側に閉じると、図７に示すように第２の係合部材１１の傾斜部１１ａが第１の係合部材１０の係合孔１０ｃの下端縁に当接しながら第１の係合部材１０を下方に移動させ、係合孔１０ｃが傾斜部１１ａを超えると、第１の係合部材１０がスプリング１７の付勢力によって上方に移動し、図８に示すように係合孔１０ｃの下端縁が溝１１ｂに係合する。その際、外扉２の各磁石１２が内部扉８の各吸着板１３に吸着し、各係合部材１０，１１の係合と各磁石１２の吸着により、内部扉８と外扉２が互いにロックされる。また、このロック状態においては、操作レバー１４の係止部１４ｃが第１の係合部材１０の開口部１０ｂ内に挿入されている。
【００２８】
次に、内部扉８を開放する場合は、図９に示すように操作レバー１４の把持部１４ａを内部扉８の外側に引き出して操作レバー１４を図中時計回りに回動させると、操作レバー１４の係止部１４ｃが第１の係合部材１０の係止片１０ｃに係止し、第１の係合部材１０が下方に移動する。これにより、第１の係合部材１０の係合孔１０ｃと第２の係合部材１１の溝１１ｂとの係合が解除される。その際、操作レバー１４が回動すると、その係止部１４ｃの先端の回動軌跡は外扉２の当接板１５と交差するようになっているため、係止部１４ｃの先端が当接板１５に当接し、更に操作レバー１４を回動することにより、内部扉８と外扉２との間に各磁石１２と各吸着板１３とを互いに引き離す方向の力が付与される。これにより、各磁石１２の吸着が解除され、内部扉８と外扉２とのロックが解除される。また、操作レバー１４の把持部１４ａは係止部１４ｃよりも長く形成されているため、いわゆる梃子の原理により、操作レバー１４の把持部１４ａに入力した力が増大されて係止部１４ｃと当接板１５との間に付与される。
【００２９】
また、前記自動販売機において、内部扉８を開放したまま外扉２を閉じると、内部扉８の開閉を検知する第１の扉スイッチ２０と、外扉２の開閉を検知する第２の扉スイッチ２１とが何れも接点を閉じた状態となるため、警報ブザー２２が作動して内部扉８の閉め忘れが外部に警告される。
【００３０】
このように、本実施形態の扉ロック機構によれば、内部扉８と外扉２とを各磁石１２によって吸着するとともに、外扉２側の第１の係合部材１０と内部扉８側の第２の係合部材１１とを互いに係合させるようにしたので、振動や衝撃を受けた場合でも各係合部材１０，１１の係合によって各磁石１２の吸着が解除されることがなく、内部扉８と外扉２とを確実にロックすることができる。この場合、操作レバー１４の回動操作によって各係合部材１０，１１の係合を解除するようにしたので、各係合部材１０，１１の係合を容易に解除することができ、ロック解除の操作性を向上させることができる。
【００３１】
また、内部扉８と外扉２とのロックを解除する場合には、操作レバー１４の回動操作によって各磁石１２の吸着を解除するようにしたので、内部扉８に人力によって直接開放方向への力を加える場合に比べ、各磁石１２の吸着を容易に解除することができ、ロック解除時の操作性をより一層向上させることができる。
【００３２】
この場合、各係合部材１０，１１の係合解除と各磁石１２の吸着解除とを操作レバー１４の回動操作に連動させるようにしたので、操作レバー１４の操作のみによって各係合部材１０，１１の係合解除と各磁石１２の吸着解除とを同時に行うことができ、操作性の向上に極めて有利である。
【００３３】
更に、第１の係合部材１０を上下方向に移動自在に設け、操作レバー１４の回動操作によって第１の係合部材１０を所定方向に移動させることにより、各係合部材１０，１１の係合を解除するようにしたので、各係合部材１０，１１の係合を解除する機構を簡単な構造によって安価に構成することができ、生産性の向上及び低コスト化に極めて有利である。
【００３４】
また、操作レバー１４を外扉２の当接板１５に当接可能に設け、操作レバー１４の回動操作によって内部扉８と外扉２との間に各磁石１２と各吸着板１３とを互いに引き離す方向の力を付与することにより、各磁石１２の吸着を解除するようにしたので、各磁石１２の吸着を解除する機構を簡単な構造によって安価に構成することができ、生産性の向上及び低コスト化に極めて有利である。
【００３５】
この場合、操作レバー１４の入力側となる把持部１４ａの長さを出力側となる係止部１４ｃよりも長く形成したので、梃子の原理によって各磁石１２の吸着解除方向への力を増大させることができ、各磁石１２の吸着を極めて容易に解除することができる。
【００３６】
また、商品バケット６を昇降させる昇降機構７を備えた自動販売機において、前記扉ロック機構を商品バケット６の昇降部分の背面側を覆う内部扉８のロック機構に用いたので、商品バケット６の昇降動作等によって振動や衝撃が生じ易い構造であっても、内部扉８の開放を確実に防止することができ、このような自動販売機における内部扉８のロック機構として用いる場合に極めて有利である。また、内部扉８の開放操作を容易に行うことができるので、昇降機構７等のメンテナンスに極めて有利である。
【００３７】
更に、前記自動販売機に、内部扉８の開閉を検知する第１の扉スイッチ２０と、外扉２の開閉を検知する第２の扉スイッチ２１とを設け、第１の扉スイッチ２０によって内部扉８が開放状態であることを検知し、且つ第２の扉スイッチ２１によって外扉２が閉鎖されたことが検知されると、警報ブザー２２を作動するようにしたので、内部扉８を開放したまま外扉２が閉じられたことを外部に警告することができ、内部扉８の閉め忘れを速やかに解消することができる。
【００３８】
【発明の効果】
以上説明したように、請求項１の扉ロック機構によれば、振動や衝撃を受けた場合でも磁石の吸着が解除されることがないので、扉とロック対象物とを確実にロックすることができる。この場合、係合手段の係合を容易に解除することができるので、ロック解除の操作性を向上させることができる。
【００３９】
また、請求項２の扉ロック機構によれば、請求項１の効果に加え、扉に人力によって直接開放方向への力を加える場合に比べ、磁石の吸着を容易に解除することができるので、ロック解除時の操作性をより一層向上させることができる。
【００４０】
また、請求項３の扉ロック機構によれば、請求項２の効果に加え、操作部の操作のみによって係合解除と吸着解除とを同時に行うことができるので、操作性の向上に極めて有利である。
【００４１】
また、請求項４の扉ロック機構によれば、請求項３の効果に加え、係合手段の係合を解除する機構を簡単な構造によって安価に構成することができるので、生産性の向上及び低コスト化に極めて有利である。
【００４２】
また、請求項５の扉ロック機構によれば、請求項３または４の効果に加え、磁石の吸着を解除する機構を簡単な構造によって安価に構成することができるので、生産性の向上及び低コスト化に極めて有利である。
【００４３】
また、請求項６の扉ロック機構によれば、請求項５の効果に加え、磁石の吸着解除方向への力を増大させることができるので、磁石の吸着を極めて容易に解除することができる。
【００４４】
また、請求項７の自動販売機によれば、商品バケットの昇降動作等によって振動や衝撃が生じ易い構造であっても、内部扉の開放を確実に防止することができるので、このような自動販売機における内部扉をロックする場合に極めて有利である。また、内部扉の開放操作を容易に行うことができるので、メンテナンスに極めて有利である。
【００４５】
また、請求項８の自動販売機によれば、請求項７の効果に加え、内部扉を開放したまま外扉が閉じられたことを外部に警告することができるので、内部扉の閉め忘れを速やかに解消することができる。
【図面の簡単な説明】
【図１】本発明の一実施形態に係る扉ロック機構を備えた自動販売機の斜視図
【図２】自動販売機の側面断面図
【図３】自動販売機の要部斜視図
【図４】扉ロック機構の分解斜視図
【図５】自動販売機の側面断面図
【図６】扉スイッチの回路構成図
【図７】扉ロック機構の動作を示す側面断面図
【図８】扉ロック機構の動作を示す側面断面図
【図９】扉ロック機構の動作を示す側面断面図
【符号の説明】
１…自動販売機本体、２…外扉、６…商品バケット、７…昇降機構、８…内部扉、１０…第１の係合部材、１１…第２の係合部材、１２…磁石、１３…吸着板、１４…操作レバー、１５…当接板、２０…第１の扉スイッチ、２１…第２の扉スイッチ、２２…警報ブザー、Ａ…商品。
【図１】
2004318616.tif 000003
【図２】
2004318616.tif 000004
【図３】
2004318616.tif 000005
【図４】
2004318616.tif 000006
【図５】
2004318616.tif 000007
【図６】
2004318616.tif 000008
【図７】
2004318616.tif 000009
【図８】
2004318616.tif 000010
【図９】
2004318616.tif 000011